(57)【特許請求の範囲】
【請求項１】
パネルを起立する支柱に取り付けるためのパネル取付具であって、
上記パネルを係止するパネル係止体と、上記支柱に上記パネルおよび上記パネル係止体を保持させるための保持手段とを備え、
上記パネル係止体は、折り返し部を介して基端どうしが連結されており、第１方向において所定の間隔を隔て、かつ上記第１方向と直角である第２方向にそれぞれが延びる第１板部および第２板部と、基端が上記第２板部の先端に対して屈曲状に連結されており、先端に向かうにつれて上記第１方向において上記第１板部から遠ざかる第３板部と、を各々が有する一対の係止金具を含んで構成され、
上記保持手段は、上記一対の係止金具の上記第３板部どうしを長さ調節可能に連結する連結部材を含み、
上記各係止金具は、上記第２板部における基端から先端までの上記第２方向に沿う長さである第２板部長さが、上記第１板部における基端から先端までの上記第２方向に沿う長さである第１板部長さよりも大であることを特徴とする、パネル取付具。
【請求項２】
上記第２板部長さは、上記第１板部長さの２倍以上である、請求項１に記載のパネル取付具。
【請求項３】
上記第２板部と上記第３板部とがなす角度は、１２０°〜１５０°の範囲である、請求項１または２に記載のパネル取付具。
【請求項４】
上記連結部材は、上記一対の係止金具の上記第３板部に両端部が連結され、かつ当該両端部どうしの長さを調節可能な帯状部材により構成される、請求項１ないし３のいずれかに記載のパネル取付具。
【請求項５】
上記支柱は、床面に載置されるベースから起立しており、当該ベースとともにベルトパーティションスタンドを構成する、請求項１ないし４のいずれかに記載のパネル取付具。
【請求項６】
板状のパネルと、
起立する支柱と、
請求項１ないし５のいずれかに記載のパネル取付具と、を備えており、
上記パネルが上記パネル取付具を介して上記支柱に取り付けられているパネル付きスタンドであって、
上記パネルの水平方向における両端縁が上記一対の係止金具それぞれの上記第１板部および上記第２板部に挟まれており、上記支柱は上記連結部材によって上記パネル側に押圧されることを特徴とする、パネル付きスタンド。
【発明の詳細な説明】
【技術分野】
【０００１】
本発明は、たとえば床面上などにおいて起立する支柱にパネルを取り付けるためのパネル取付具に関する。
【背景技術】
【０００２】
従来、金融機関やイベント会場などの様々な施設において、歩行者の通路規制などを行うために、ベルトパーティションスタンドが使用されている。ベルトパーティションスタンドは、たとえば、床面に載置されるベースと、このベースから起立する支柱と、支柱の上端に設けられたベルト収納ヘッドとを備えている（たとえば、特許文献１を参照）。ベルトパーティションスタンドの使用時には複数設置し、ベルト収納ヘッドから繰り出したベルトの先端を他のベルトパーティションスタンドに係止する。このようにすることで、隣接するベルトパーティションスタンドの相互間にベルトが張設され、歩行者の通路規制などを行うことができる。
【０００３】
上述のようなベルトパーティションスタンドに対し、案内表示などを目的とするパネルを取り付けて使用する場合がある。たとえば、特許文献２には、ベルトパーティションスタンドの支柱にパネル取付具を装着し、当該パネル取付具を介してパネルを支柱に取り付ける例が記載されている。特許文献２に開示されたパネル取付具は、支柱に当接させられる緩衝部材と、パネルが取り付けられるパネル取付部材とを備えている。パネル取付具の使用時には、緩衝部材が自然状態から変形しつつ支柱に押圧されており、支柱の形状が異なる場合でも取付けが可能である。また、パネル支持部材は、磁石からなるパネル固定部を有し、支柱を挟んでパネル固定部と反対側に巻かれた面ファスナ等によって支柱に固定されている。そして、上記パネル固定部にパネルを吸着保持させことにより、パネル固定部の主面と同じ方向に向けてパネルを取り付けることができる。
【０００４】
しかしながら、上記従来のパネル取付具において、パネル支持部材（固定部）によるパネルの吸着保持力を超える強い衝撃がパネルに対して作用すると、パネルがパネル支持部材から外れる場合があった。このようなパネルへの強い衝撃を考慮すると、使用するパネル取付具の数量を増やしてパネルの吸着保持力を高めるという対策も考えられるが、コスト面や確実性の面で改善の余地があった。
【先行技術文献】
【特許文献】
【０００５】
【特許文献１】特許第３６９４７２３号公報
【特許文献２】特開２０１３−２３４４５６号公報
【発明の概要】
【発明が解決しようとする課題】
【０００６】
本発明は、このような事情のもとで考え出されたものであって、起立する支柱にパネルをより確実に取り付けるのに適したパネル取付具、およびそのようなパネル取付具を備えたパネル付きスタンドを提供することをその課題とする。
【課題を解決するための手段】
【０００７】
上記の課題を解決するため、本発明では、次の技術的手段を講じている。
【０００８】
本発明の第１の側面によって提供されるパネル取付具は、パネルを起立する支柱に取り付けるためのパネル取付具であって、上記パネルを係止するパネル係止体と、上記支柱に上記パネルおよび上記パネル係止体を保持させるための保持手段とを備え、上記パネル係止体は、折り返し部を介して基端どうしが連結されており、第１方向において所定の間隔を隔て、かつ上記第１方向と直角である第２方向にそれぞれが延びる第１板部および第２板部と、基端が屈曲部を介して上記第２板部の先端に連結されており、先端に向かうにつれて上記第１方向において上記第１板部から遠ざかる第３板部と、を各々が有する一対の係止金具を含んで構成され、上記保持手段は、上記一対の係止金具の上記第３板部どうしを長さ調節可能に連結する連結部材を含み、上記各係止金具は、上記第２板部における基端から先端までの上記第２方向に沿う長さである第２板部長さが、上記第１板部における基端から先端までの上記第２方向に沿う長さである第１板部長さよりも大であることを特徴としている。
【０００９】
好ましい実施の形態においては、上記第２板部長さは、上記第１板部長さの２倍以上である。
【００１０】
好ましい実施の形態においては、上記第２板部と上記第３板部とがなす角度は、１２０°〜１５０°の範囲である。
【００１１】
好ましい実施の形態においては、上記連結部材は、上記一対の係止金具の上記第３板部に両端部が連結され、かつ当該両端部どうしの長さを調節可能な帯状部材により構成される。
【００１２】
好ましい実施の形態においては、上記支柱は、床面に載置されるベースから起立しており、当該ベースとともにベルトパーティションスタンドを構成する。
【００１３】
本発明の第２の側面によって提供されるパネル付きスタンドは、板状のパネルと、起立する支柱と、本発明の第１の側面に係るパネル取付具と、を備えており、上記パネルが上記パネル取付具を介して上記支柱に取り付けられているパネル付きスタンドであって、上記パネルの水平方向における両端縁が上記一対の係止金具それぞれの上記第１板部および上記第２板部に挟まれており、上記支柱は上記連結部材によって上記パネル側に押圧されることを特徴としている。
【００１４】
本発明のその他の特徴および利点は、添付図面を参照して以下に行う詳細な説明によって、より明らかとなろう。
【図面の簡単な説明】
【００１５】
【図１】本発明に係るパネル取付具の一例を示す斜視図である。
【図２】係止金具の平面図である。
【図３】本発明に係るパネル取付具が用いられるベルトパーティションスタンドの一例を示す斜視図である。
【図４】本発明に係るパネル付きスタンドの一例を示す正面図である。
【図５】図４のＶ−Ｖ線に沿う断面図である。
【図６】パネル取付具の作用を説明するための要部拡大断面図である。
【図７】図１に示すパネル取付具を図５に示したパネルとは異なるパネルに取り付けて使用する場合を示す図５と同様の断面図である。
【発明を実施するための形態】
【００１６】
以下、本発明の好ましい実施の形態について、図面を参照して具体的に説明する。
【００１７】
図１は、本発明に係るパネル取付具の一例を示す。図１に示すパネル取付具Ａ１は、ベルトパーティションスタンドにパネルを取り付ける際に用いられるものである。図３は、ベルトパーティションスタンドの一例を示す。図４、図５は、本発明に係るパネル付きスタンドの一例を示す。
【００１８】
図３に示すように、ベルトパーティションスタンド１は、ベース１１と、このベース１１から起立する支柱１２と、支柱１２に連結されるベルト収納ヘッド１３と、パーティションベルト１４と、を備えている。
【００１９】
ベース１１は、床面に載置される部材であり、平面視略円形の板状とされている（図５参照）。支柱１２は、円柱状に形成されている。図示説明は省略するが、支柱１２は、ベース１１に対して、たとえばねじを用いた締結によって着脱可能に連結されている。なお、図５では、支柱１２の内部構造を省略している。ベース１１には、一定幅の切欠き１１１が形成されている。この切欠き１１１の幅寸法は、支柱１２の外径よりも少し大とされている。複数のベルトパーティションスタンド１を収納する際には、支柱１２が別のベルトパーティションスタンド１の切り欠き１１に嵌り込むようにすると、収納スペースを縮小することができる。
【００２０】
ベルト収納ヘッド１３は、支柱１２の上端に連結されており、円筒状の外形を有している。ベルト収納ヘッド１３の外周直径は支柱１２の外周直径よりも大きくなっている。ベルト収納ヘッド１３の軸方向における長さは、たとえば１５ｃｍ程度とされる。ベルト収納ヘッド１３は、パーティションベルト１４を収容する。なお、図示説明は省略するが、ベルト収納ヘッド１３は、支柱１２に対して、たとえばねじを用いた締結によって着脱可能に連結されている。
【００２１】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２２】
ベルト収納ヘッド１３の外面には、複数のベルトエンド受け部１３２が設けられている。これらベルトエンド受け部１３２は、ベルト導出部１３１に対して周方向に９０°ずつずれた３箇所に位置している。各ベルトエンド受け部１３２は、軸方向に沿って一定長さ延びるようにして横断面Ｔ字状に形成されており、ベルトエンド１４１に設けられた溝に嵌合可能となっている。ベルトパーティションスタンド１の使用時には、パーティションベルト１４を繰り出すとともに、当該ベルト１４のベルトエンド１４１の溝に他のベルトパーティションスタンド１のベルトエンド受け部１３２を嵌合させる。これにより、隣接するベルトパーティションスタンド１の相互間にパーティションベルト１４を張設することができる。
【００２３】
図４、図５に示すパネル付きスタンドＢ１は、図３に示したベルトパーティションスタンド１と、パネル２と、パネル取付具Ａ１とを備えている。
【００２４】
パネル２は、屈曲状につながる２つの平板部２１，２１を備え、これら平板部２１，２１は、平面視において略直角をなしたＬ字状とされている。各平板部２１は、高さ方向を長手方向とする略長矩形状とされており、案内表示等が描画される表示面２１ａと、表示面２１ａの反対を向く背面２１ｂとを有している。パネル２は、たとえば金属板からなる。なお、表示面２１ａに直接案内表示等を描画せずに、案内表示等が描画されたシール等を表示面２１ａに貼ってもよい。
【００２５】
図１に示すように、パネル取付具Ａ１は、パネル係止体３と、保持手段４とを備えている。
【００２６】
パネル係止体３は、保持手段４の両端に連結された一対の係止金具３０，３０を含んで構成される。各係止金具３０は、平板状の第１板部３１、第２板部３２および第３板部３３を有する。第１板部３１および第２板部３２は、これらの基端どうしが折り返し部３４を介して連結されており、これら第１および第２板部３１，３２の厚さ方向である方向ｙにおいて所定の間隔を隔てている（図２参照）。また、第１板部３１および第２板部３２は、方向ｙに対して直角である方向ｘに沿って所定幅で延びている。
【００２７】
図２に表れているように、第２板部３２における基端から先端までの方向ｘに沿う長さ（第２板部長さＬ２）は、第１板部３１における基端から先端までの方向ｘに沿う長さ（第１板部長さＬ１）よりも大である。第２板部長さＬ２は、好ましくは第１板部長さＬ１の２倍以上であり、より好ましくは第１板部長さＬ１の３倍以上である。
【００２８】
第３板部３３は、その基端が第２板部３２の先端に対して屈曲状に連結されている。第２板部３２と第３板部３３とがなす角度αは、たとえば９０°〜１８０°であり、好ましくは１２０°〜１５０°である。本実施形態では、上記の角度αは、１３５°である。第３板部３３には、厚さ方向に貫通する孔３３ａが形成されている。上記構成の係止金具３０は、たとえば金属板を折り曲げることにより形成されたものである。
【００２９】
係止金具３０の各部の寸法の一例を挙げると、第１板部３１、第２板部３２、および第３板部３３の各々について、厚さが２ｍｍ程度、幅寸法が３５ｍｍ程度である。また、第１板部長さＬ１が８ｍｍ程度、第２板部長さＬ２が２０ｍｍ程度であり、第１板部３１および第２板部３２の間隔Ｄ１が２ｍｍ程度である。
【００３０】
図１に示すように、保持手段４は、支柱１２にパネル２およびパネル係止体３（一対の係止金具３０）を保持させるためのものである。保持手段４は、一対の係止金具３０の第３板部３３どうしを長さ調節可能に連結する帯状部材４０（連結部材）を含んで構成される。本実施形態において、帯状部材４０は、一方の面に面ファスナ４１が設けられている。面ファスナ４１には、フックとループの双方が形成されており、折り返して貼り合せることが可能となっている。帯状部材４０の両端部は、第３板部３３の孔３３ａに挿通されるとともに、折り返された面ファスナ４１が貼り合わされている。このような構成により、帯状部材４０は、その両端部が一対の係止金具３０の第３板部３３に連結され、かつ当該両端部どうしの長さを調節可能である。
【００３１】
図４、図５は、パネル取付具Ａ１を用いてパネル２をベルトパーティションスタンド１の支柱１２に取り付けた状態の一例を示している。なお、図５においては、パーティションベルト１４およびベルトエンド１４１を仮想線で表している。
【００３２】
パネル２を支柱１２に取り付ける際には、帯状部材４０の一方の端部を一方の係止金具３０の第３板部３３に連結し、かつ当該係止金具３０をパネル２の水平方向における一方の端縁（一方の平板部２１の端縁）に係止させる。本実施形態では、２つの平板部２１，２１と支柱１２との間にクッション材５が介在しており、支柱１２と各平板部２１とは所定の間隔を隔てている。他方の係止金具３０については、孔３３ａに通された帯状部材４０の面ファスナ４１を剥がし、パネル２の水平方向における他方の端縁（他方の平板部２１の端縁）に係止させる。そして、帯状部材４０の他方の端部を引き締めて当該端部を折り返し、面ファスナ４１どうしを貼り合わせる。このようにして、図４、図５に表れているようにパネル取付具Ａ１が装着される。このとき、パネル２の水平方向における両端縁（平板部２１，２１の互いに離間する両端縁）が一対の係止金具３０それぞれの第１板部３１および第２板部３２に挟まれている。また、支柱１２は帯状部材４０によってパネル２側に押圧される。
【００３３】
次に、本実施形態の作用について説明する。
【００３４】
図１、図５等に示したパネル取付具Ａ１を用いれば、パネル係止体３（一対の係止金具３０，３０）によってパネル２の水平方向の両端部が係止されるとともに、保持手段４（帯状部材４０）の両端部が係止金具３０，３０に連結される。帯状部材４０は、両端部の間の長さ調節が可能とされており、この帯状部材４０によって支柱１２がパネル２側に押圧されることによって、パネル２およびパネル係止体３を支柱１２に保持させることができる。
【００３５】
パネル取付具Ａ１の装着時において、パネル２の端縁は係止金具３０の第１板部３１および第２板部３２に挟まれている。図６に示すように、第２板部３２の先端は、これに連結される第３板部３３を介して、帯状部材４０によって引っ張られている。そして、第２板部３２の方向ｘに沿う第２板部長さＬ２は、第１板部３１の方向ｘに沿う第１板部長さＬ１よりも大である（図２参照）。このような構成によれば、折り返し部３４を支点Ｐ１とし、第２板部３２の先端を力点Ｐ２とし、第１板部３１の先端を作用点Ｐ３とする、てこの原理により、第２板部３２先端の力点Ｐ２の力よりも大きな力によって第１板部３１の先端がパネル２（平板部２１）を押圧することになる。したがって、係止金具３０によってパネル２が的確に保持される。
【００３６】
本実施形態では、第２板部長さＬ２が第１板部長さＬ１の２倍以上である。このような構成によれば、第１板部３１の先端によるパネル２への押圧力が適度に増大され、より的確にパネル２が保持される。
【００３７】
帯状部材４０は、その両端部どうしの長さが調節可能である。このような構成によれば、形状やサイズが異なる支柱１２に対してもパネル取付具Ａ１を取り付けることができる。また、パネル２のサイズ（水平方向における両端縁の長さ）が異なる場合でも、パネル２を適切に取り付けることが可能である。
【００３８】
図７は、パネル取付具Ａ１を上記実施形態におけるパネル２とは異なるパネル２’に取り付けて使用する場合を示したものである。なお、図７においては、ベルト収納ヘッド１３、パーティションベルト１４およびベルトエンド１４１を仮想線で表している。
【００３９】
図７に示したパネル２’は、１つの平板部２１を備えて構成されたものである。パネル２’を支柱１２に取り付ける際には、一方の係止金具３０をパネル２’の水平方向における一方の端縁（平板部２１の一方の端縁）に係止させる。図７に示した例では、平板部２１と支柱１２との間にクッション材５が介在しており、支柱１２と平板部２１とは所定の間隔を隔てている。他方の係止金具３０については、孔３３ａに通された帯状部材４０の面ファスナ４１を剥がし、パネル２’の水平方向における他方の端縁（平板部２１の他方の端縁）に係止させる。そして、帯状部材４０の他方の端部を引き締めて当該端部を折り返し、面ファスナ４１どうしを貼り合わせる。このようにしてパネル取付具Ａ１が装着される。このとき、パネル２’の水平方向における両端縁（平板部２１の両端縁）が一対の係止金具３０それぞれの第１板部３１および第２板部３２に挟まれている。また、支柱１２は帯状部材４０によってパネル２’側に押圧される。
【００４０】
以上、本発明の具体的な実施形態を説明したが、本発明はこれに限定されるものではなく、発明の思想から逸脱しない範囲内で種々な変更が可能である。本発明に係るパネル取付具およびパネル付きスタンドの各部の具体的な構成は、種々に設計変更自在である。
【００４１】
上記実施形態においては、パネル取付具Ａ１がベルトパーティションスタンド１の支柱１２に装着される場合を例示したが、本発明に係るパネル取付具は、ベルトパーティションスタンド１の支柱１２以外の様々な支柱に装着することができる。パネル取付具が装着される支柱としては、たとえばチェーンが掛け止められた支柱であってもよいし、また、床面上や地面上に起立する支柱であれば可搬式のものに限定されず、たとえば地中に埋設固定される支柱など如何なる構成でもよい。
【符号の説明】
【００４２】
Ａ１        パネル取付具
Ｂ１        パネル付きスタンド
１          ベルトパーティションスタンド
１１        ベース
１２        支柱
１３        ベルト収納ヘッド
１４        パーティションベルト
２，２’    パネル
２１        平板部
３          パネル係止体
３０        係止金具
３１        第１板部
３２        第２板部
３３        第３板部
３３ａ      孔
３４        折り返し部
４          保持手段
４０        帯状部材（連結部材）
４１        面ファスナ
５          クッション材
【図１】
0006360727.tif 000002
【図２】
0006360727.tif 000003
【図３】
0006360727.tif 000004
【図４】
0006360727.tif 000005
【図５】
0006360727.tif 000006
【図６】
0006360727.tif 000007
【図７】
0006360727.tif 000008